(57)【要約】【課題】登山道などにおいて後で登る人が迷わないように、ＧＰＳで測定した経緯度を綺麗な字体で簡単にその測定場所に表示して設置しておける経緯度表示具を提供する。【解決手段】基材１に経度表示面Ｂと緯度表示面Ａを上下二段に設け、経度表示面Ｂと緯度表示面Ａには、それぞれ経度と緯度を意味した文字とともに３桁の数字と度を示す記号を表示した度表示部と、２桁の数字と分を示す記号を表示した分表示部と、２桁の数字と秒を示す記号を表示した秒表示部とを関連付けて配設し、前記各数字８は数字着色材２で着色された７セグメントで形成された数字とするとともに各数字８の上面には数字着色材２とは異なる色彩を有し且つ数字着色材２の表面から容易に分離可能とする数字隠蔽材３を積層する。そして、前記経度表示面Ｂと緯度表示面Ａに数字着色材２上の数字隠蔽材３の一部箇所を除去してできる０〜９までの各数字で経緯度の実測値を表示する。【選択図】  図１
2009251206.tif 000002
【特許請求の範囲】
【請求項１】
基材に、経度を表示する経度表示面と緯度を表示する緯度表示面を設け、前記経度表示面には経度を意味した文字又は記号とともに１００の位が１の数字である３桁の数字と度を示す文字又は記号を表示した度表示部と、２桁の数字と分を示す文字又は記号を表示した分表示部と、２桁の数字と秒を示す文字又は記号を表示した秒表示部とを関連付けて配設し、前記緯度表示面には緯度を意味した文字又は記号とともに２桁の数字と度を示す文字又は記号を表示した度表示部と、２桁の数字と分を示す文字又は記号を表示した分表示部と、２桁の数字と秒を示す文字又は記号を表示した秒表示部とを関連付けて配設し、前記各数字は数字着色材で着色された７セグメントで形成された数字とするとともに前記各数字の上面には前記数字着色材とは異なる色彩又は異なる明度を有し且つ前記数字着色材の表面から容易に分離可能な数字隠蔽材を積層して成り、
前記数字着色材上の数字隠蔽材を各数字の７セグメントのいずれかをかの箇所を除去して露出した部分で０〜９までの各数字を表示して前記経緯度表示面に経緯度の実測値を表示できるようにしたことを特徴とする経緯度表示具。
【請求項２】
各数字が、基材の経度表示面と緯度表示面に印刷された数字であることを特徴とする請求項１に記載の経緯度表示具。
【請求項３】
各数字の上面を保護するコーテング材を基材の経度表示面と緯度表示面に積層したことを特徴とする請求項１又は２項に記載の経緯度表示具。
【請求項４】
基材の経度表示面と緯度表示面に、各数字の７セグメント上の数字隠蔽材の一部を除去して表示させた数字の上面及び数字隠蔽材の上面に粘着可能な粘着材付の透明な保護膜を基材の経度表示面と緯度表示面に貼付したことを特徴とする請求項１から３のうちいずれか１項に記載の経緯度表示具。
【請求項５】
基材の裏面に、接着材層を形成し、その接着材層の表面を硬化防止膜で被覆したことを特徴とする請求項１から４のうちいずれか１項に記載の経緯度表示具。
【発明の詳細な説明】
【技術分野】
【０００１】
本発明は、主として登山道や林道に設置され、設置された位置の地図上の経緯度を知らせるために表示するための経緯度表示具に関する。
【背景技術】
【０００２】
登山道の要所には特許文献１に記載のような山頂方向等を示す案内板が設置されている。しかし、ここには経緯度を標識は殆ど見られない。
その理由は、経緯度を使って位置を特定する習慣が整っておらず、さらに、筆記具で樹木や岩などに経緯度を書いておいても、風雨などにより短期間で判読不能になってしまったり消えてしまうなど、その場所の経緯度を記録しておくための適切な表示手段がなかったからであると推察される。
ところで、山岳地帯の登山道や林道で迷ったときには目立つ山などの周囲の状況を見て、地図で現在位置を確認して目的地に向かうが、悪天候や夜間では周囲が見えなくなって現在位置の確認ができずに困ってしまうことがある。
もしこのとき、迷いそうな通過点ごとの経緯度を知ることができたら、地図との照合によりその経緯度から現在位置が確認でき、その結果道に迷わずに安心して登山することができるという効果がもたらされたはずである。
ところで、昨今ＧＰＳ付きの携帯電話が提供されるようになり電波の届く低い山ではそのＧＰＳ機能が使用でき、また電話受信ができない場合の多い山岳部でも携帯型のＧＰＳ受信器の使用ができるので、そのようなＧＰＳ機能が使用できる携帯型の装置を持参すれば経緯度のデータから現在位置が確認できるので迷うことはなくなるはずである。
しかし、まだそのようなＧＰＳ装置を所有している一般の登山家は極めて少ないので、殆どの人は現在位置の経緯度を確認するこができない。
【０００３】
【特許文献１】特開２０００−２９４１２
【発明の開示】
【発明が解決しようとする課題】
【０００４】
本発明の使用においては、上述如く、経緯度によって現在位置を確認するので経緯度が記載された地図の持参が前提となるが、そのための本発明は、ＧＰＳ等で測定した経緯度をだれでもが容易に読み取りやすい統一した字体で表示することが可能となり、且つ簡単にその測定場所に設置可能となる経緯度表示具を提供する。そして、あわせてその経緯度表示具に表示した数字が改竄されたり、また風雨などによって脱落や変形されたりするのを防止することが可能となる手段を提供し、山での遭難を有効に防止できるようにすることを目的とするものである。
【課題を解決するための手段】
【０００５】
上記課題を解決するための本発明の経緯度表示具は、請求項１においては、基材に、経度を表示する経度表示面と緯度を表示する緯度表示面を設け、前記経度表示面には経度を意味した文字又は記号とともに１００の位が１の数字である３桁の数字と度を示す文字又は記号を表示した度表示部と、２桁の数字と分を示す文字又は記号を表示した分表示部と、２桁の数字と秒を示す文字又は記号を表示した秒表示部とを関連付けて配設し、前記緯度表示面には緯度を意味した文字又は記号とともに２桁の数字と度を示す文字又は記号を表示した度表示部と、２桁の数字と分を示す文字又は記号を表示した分表示部と、２桁の数字と秒を示す文字又は記号を表示した秒表示部とを関連付けて配設する。
前記各数字は数字着色材で着色された７セグメントで形成された数字とするとともに前記各数字の上面には前記数字着色材とは異なる色彩又は異なる明度を有し且つ前記数字着色材の表面から容易に分離可能とする数字隠蔽材を積層して成り、前記数字着色材上の数字隠蔽材を各数字の７セグメントのいずれかをかの箇所を除去して露出した部分で０〜９までの各数字を表示して前記経緯度表示面に経緯度の実測値を表示できるようにしたことを特徴とする。
【０００６】
請求項２においては、上記発明において、前記各数字が、基材の経度表示面と緯度表示面に印刷された数字であることを特徴とする。
【０００７】
請求項３においては、上記発明において、前記各数字の上面を保護するコーテング材を基材の経度表示面と緯度表示面に積層したことを特徴とする。
【０００８】
請求項４においては、上記発明において、前記基材の経度表示面と緯度表示面に、各数字の７セグメント上の数字隠蔽材の一部を除去して表示させた数字の上面及び数字隠蔽材の上面に粘着可能な粘着材付の透明な保護膜を基材の経度表示面と緯度表示面に貼付したことを特徴とする。
【０００９】
請求項５においては、上記発明において、前記基材の裏面に、接着材層を形成し、その接着材層の表面を硬化防止膜で被覆したことを特徴とする。
【発明の効果】
【００１０】
本発明の経緯度表示具は、基材の経度表示面と緯度表示面において、数字着色材とは異なる色彩又は異なる明度を有し且つ前記数字着色材の表面から容易に分離可能とする数字隠蔽材が前記数字着色材の上面を隠蔽しているので、その隠蔽材を硬い物などで擦れば容易に数字隠蔽材を除去でき、各数字の７セグメントの一部を露出させて前記基材の経度表示面と緯度表示面に０〜９までの各数字を露出させて経緯度の数値を表示することが可能となる。
そして、前記数字隠蔽材を除去作業で使用される硬い物は、爪やコインなど誰でも常時待っている物を使用できるので数字隠蔽材はいつでも簡単に擦り落せる利点がある。
【００１１】
また、本発明の経緯度表示具は薄く且つ軽くできるので、携帯型のＧＰＳ受信器を携帯している者にとって多数持ち歩くのに苦労はなく、経緯度を計測して、登山道の迷いそうな場所を中心に多数を設置しておけば、後から来たＧＰＳを持たない一般の者でも現在位置の経緯度を簡単に知ることが可能となり、迷わずに安心して登山を楽しむことができるようになる。
【００１２】
請求項２においては、基材の経度表示面と緯度表示面の印刷された各数字はノート大から手帳類程度の大きさなど、統一規格を印刷機で大量生産することができ、それらをズボンなどのポケットやリュックなどに数多収納して持ち運んで、それらを多くの場所に設置することが可能となる。
【００１３】
請求項３においては、コーテング材で経度表示面と緯度表示面に表示された前記各数字の上面が保護され、さらにこの上に付着させた数字隠蔽材が、その下にある数字の字形を崩したり傷付けたりすることなく、容易に安心して削り取ることが可能となる。そして、この結果、各数字の上面には擦り傷のない綺麗な数字の字形が保持されるようになる。
【００１４】
請求項４においては、表面の保護膜を透して中の数字が明瞭に読み取れると同時に、その保護膜によって前記基材の経度表示面と緯度表示面に表示された各数字が全体が保護され、風雨による剥がれ落ちの防止や、いたずらによる数字の改竄などの防止が可能となる。
【００１５】
請求項５においては、本経緯度表示具を設置する時に硬化防止膜を剥がせば基材の裏面の接着材層が露出し、その接着材で案内板の板面や岩肌に固着させることができ、現地において容易に本経緯度表示具を設置することが可能となる。
【発明を実施するための最良の形態】
【００１６】
本発明の実施の形態を以下に説明する。
本発明の経緯度表示具は、図１の（イ）に示すように、基材１に、経度を表示する経度表示面Ｂ（一点差線で示した区域）と緯度を表示する緯度表示面Ａ（一点差線で示した区域）を上下二段に分けて設ける。
用いる基材１は、図１では、長方形木製薄板の基材１の上面１ａを鉋かけしたものを示しているが、この他に、木、竹、金属、合成樹脂シート、プラスチック、石、セラミックなどを使用することが可能である。
【００１７】
下段の経度表示面Ｂには経度を意味した「Ｅ」の文字１１を左寄り部位に配するとともに１００の位が「１」の数字である３桁の数字と度を示す記号１２を表示した度表示部ｄと、２桁の数字８と分を示す記号１３を表示した分表示部ｅと、２桁の数字８と秒を示す記号１４を表示した秒表示部ｆとを横一列に連続して配設する。
また、上段の前記緯度表示面Ａには緯度を意味した「Ｎ」の文字１０を左寄り部位に配するとともに２桁の数字８と度を示す記号１２を表示した度表示部ａと、２桁の数字８と分を示す記号１３を表示した分表示部ｂと、２桁の数字と秒を示す記号を表示した秒表示部ｃとを横一列に連続して配設する。
【００１８】
この字「Ｎ」及び「Ｅ」は漢字で北緯、東経を表示するもので、漢字で「北緯」、「東経」と表示しても良く、雨濡れで滲まないように黒色の油性インクでそれらの文字を印刷する。
また、度、分、秒を表す記号「°」１２と「′」１３と「″」１４も「Ｎ」及び「Ｅ」と同様に黒色の油性のインクで印刷する。
さらに、図１の（ロ）に示すように、前記緯度表示面Ａと経度表示面Ｂに表示する各数字８はデジタル数字状の７セグメントで形成し、これを数字着色材２で印刷する。この数字着色材２としては油性インクや、芳香族炭化水素系溶剤とキシレンの混合液などを使用して、雨による滲みや流れ落ちや変色により数字の判別がしにくくならないようにする。
【００１９】
上記の如く木製の基材１に対して浸透性のある油性インクを用いる場合には、図３に示すように、その基材１の上面1ａと数字着色材２の上面２ａが面一となってその基材１中に数字着色材２であるインクが含浸させた状態となり、その上面２ａを強く擦ってもその数字着色材２を落とすことはできなくなる。
【００２０】
また、図５に示すように、基材１中に含浸せずに上面１ａに盛り上がって付着する数字着色材２の場合には、その基材１中の上面１ａからその数字着色材２が擦り剥がる可能性がある。したがって剥がれるのを防ぐために、数字８の数字着色材の上面２ａ部分にコーテングして保護することが好ましい。こうすれば数字部分を擦っても剥落しに難くすることができる。
【００２１】
なお、前記各数字８は、上記の如く基材１の上面に印刷された数字である場合を説明したが、他に別途印刷された透明樹脂製シート面に印刷したシールを印刷面が下になるように貼って数字を表示する手法も可能である（図省略）。この場合には樹脂のシート面に数字が保護されて表面から擦っても数字が剥落しないので好ましい。
この場合には、シートに印刷するものなので大量の数を容易に製造することができるようになる。
【００２２】
なお、経度と緯度の度における桁数の違いは、地図では緯度は９０°までであり、経度は１８０°まであるからである。したがって、経度は１００の位は数字が「１」しかないので「１」の数字を使用する。
【００２３】
そして、図１の（イ）及び図２に示すように、前記各数字８の数字着色材の上面２ａには前記数字着色材２とは異なる色彩又は異なる明度を有し且つ前記数字着色材２の上面２ａから容易に分離可能とする数字隠蔽材３を被着して、前記数字着色材２のすべての上面２ａ部分を表面から見えないように隠蔽する。
こうすると、前記数字着色材２上の数字隠蔽材３を各数字の７セグメントのいずれかをかの箇所を除去して露出した部分で０〜９までの各数字が表示でき、このため前記経度表示面Ｂには緯度を、また緯度表示面Ａには緯度の実測値をそれぞれ表示できるようになる。
【００２４】
この数字隠蔽材３としては、芳香族炭化水素系溶剤と着色顔料とアルミニユームペーストと合成樹脂溶剤Ｆ００２（帝国インキ製造株式会社の商品名）を使用できる。
このような数字隠蔽材３はコインや爪などで擦り落とすことが可能であり、前記数字着色材２上の数字隠蔽材３を部分的に擦り落とせば、その擦り落とした部分の違いで前記基材１の上面１ａに０〜９までの数字８を露出させて経緯度の数値を表示することが可能となる。
【００２５】
なお、数字着色材２に使用する油性インクの浸透性が大きくなる基材１では、その上に印刷した数字隠蔽材３として浸透性がある材料を使用すると、数字の周囲に滲んで輪郭が汚くなるだけではなく。このような場合には、数字着色材２と数字隠蔽材３と混合してしまい、数字着色材２と数字隠蔽材３を綺麗に分離し擦り落とすことができなくなる場合がある。これを防ぐための数字着色材２を印刷した後に、その上からコーテング用浸み込み防止材を塗布すると良い。このコーテング用浸み込み防止材としては２−０００メジウム（帝国インキ製造株式会社の商品名）溶剤などが使用できる。
【００２６】
前記各数字８は、図１の（イ）に示すように、６角形を成す縦のセグメント６と横のセグメント７を縦横８字状に連結させて成るデジタル様式の数字を使用すると良い。なぜなら、このような数字は液晶デジタル画面では一般的に使用されていて数字隠蔽材３を部分的に掻き落として綺麗な数字に表示できるからである。
【００２７】
そして、図１の（ロ）及び図３に示すように、前記基材の経度表示面Ｂと緯度表示面Ａに、前記数字着色材２で示された各数字の７セグメント上の数字隠蔽材３を一部除去して数字８を表示させるが、さらに、前記数字隠蔽材３を掻き落として綺麗な前記数字着色材２の数字が露出させた後、その露出した数字８の前記数字着色材２の上面２ａ部分と数字隠蔽材３の上面３ａとを、保護するため、図４及び図５に示すように、粘着材９付の透明な保護膜４を貼付することもできる。
この保護膜４としては、透明又は透明に近い半透明のポリエステル、塩化ビニール系のシート又はフィルなどが使用できる。
また前記粘着材９は耐候性が高く、粘りが強く付着力の高い粘着材９を使用すれば風雨により数字を表した前記数字着色材２と前記数字隠蔽材３とが剥がれ落ちるのを防止したり、またいたずらによる数字の改竄を防止するのに役立つ。
【００２８】
また、図６に示すように、前記基材の裏面に、接着材層を形成し、その接着材層の表面を硬化防止膜で被覆することもできる。
この場合、硬化防止膜を剥がして基材の裏面の接着材層を露出させ、その接着材で案内板の板面や岩肌に固着することが可能となるので、別に接着剤、釘、針金などの重たく嵩張る固定手段を持参する必要がなく、本経緯度表示具の現地での設置も容易なものとなる。
【００２９】
次の本考案の使用方法を説明する。
まず、先に携帯型ＧＰＳ受信器やＧＰＳが使用できる携帯電話を携帯して、山岳地帯の登山道の分岐点や迷いやすい位置などを中心にＧＰＳで経緯度を測定する。このとき例えば、北緯が３４度３６分１０秒、東経が１３９度５２分３８秒というようにＧＰＳで経緯度が示される。
そこで、本発明の薄い木製板の経緯度表示具の１枚をリュックから取り出し、その測定した経緯度を経緯度を記録する。
【００３０】
その経緯度の記録する方法は、図３に示すように、数字隠蔽材３の縦横の各セグメント６、７をコインや爪などの硬い物で削るなどして除去し、その下に隠れていた数字着色材２の上面２ａを露出させるというごく簡単な作業で「０」〜「９」の数字が表示される。
例えば、図１の（ロ）では、北緯がアルファベットの「Ｎ」で、東経が「Ｅ」で上下二段に示されている。そして、「Ｎ」の字の後に続けて「３４度３６分１０秒」が、そしてその下に「Ｅ」の字の後に続けて「１３９度５２分３８秒」が示されている。
この場合、例えば数字「３」の字を表示するには、数字隠蔽材３で隠された「８」の字の左の縦のセグメント以外のセグメント部分の前記数字着色材２上にかかる数字隠蔽材３をコインや爪などで擦り落として除去すれば良い。
また数字「８」の字は、数字隠蔽材３で覆われた「８」の数字のセグメントの全部の数字隠蔽材３をコインや爪などで除去すれば良い。このように、６角形を成す７本の縦横セグメント６、７のいずれかの部分の前記数字着色材２上の数字隠蔽材３をコインや爪などで除去すれば「０」〜「９」までの全ての数字を簡単に表示するこが可能となる。
【００３１】
また、前記「８」の数字を７つのセグメントで形成したのは、６角形を成す７本の縦横セグメント６、７の図形による数字が読みやすく明瞭で且つ綺麗に表示できるからであり、またセグメントとその隣接したセグメントとが、区切られているので、一つのセグメントだけを隣のセグメントを傷付けずに容易に削り取ることができるからである。
【００３２】
そして、図１の（ハ）に示すように、露出した数字８の前記数字着色材２の上面２ａ及び数字隠蔽材３の上面３ａを保護膜４で被覆する。
こうして、表示された数字が風雨やいたずらなどで剥がれ落ちるのが防止される。
本発明の経緯度表示具を、登山道の脇にある岩や案内板などに固定して置けば長期間にわたって利用することができる。
その固定方法は、例えば、接着剤、釘、針金などの固定手段を持参すれば、案内板に対して確実に固定することができる。
【００３３】
また接着材層を備えた態様では、硬化防止膜を剥がして基材の裏面の接着材層を露出させて案内板の板面に固着すれば良く、本発明の経緯度表示具とは別の部品や道具の持参は必要がないので設置に関する扱いが大変に容易となる。
そして、一般の登山者はＧＰＳを持っていなくても、本発明の設置場所で経緯度を知ることで、それまで一度も登ったことがない山でも迷わず安心して登山することが可能となり、山岳遭難を大幅に減少させることが可能となった。
【産業上の利用可能性】
【００３４】
本発明は、主として屋外において、置かれた位置の地図上の経緯度を示す経緯度表示具に使用するが、各種目的をもって数字を表示するためのラベルなどに使用することも可能である。
【図面の簡単な説明】
【００３５】
【図１】本発明の（イ）は使用前の状態（ロ）は数字を露出した状態、（ハ）は保護膜を施した状態を示す各斜視図である。
【図２】使用前の状態を示す要部の縦断斜視図である。
【図３】数字を露出した状態を示す要部の縦断斜視図である。
【図４】保護膜を施した状態を示す要部の縦断斜視図である。
【図５】別の形態の保護膜を施した状態を示す要部の縦断斜視図である。
【図６】裏面に接着材層を形成したの形態の縦断斜視図である。
【符号の説明】
【００３６】
１    基材
１ａ  上面
２    数字着色材
２ａ  数字着色材の上面
３    数字隠蔽材
３ａ  数字隠蔽材の上面
４    保護膜
５    コーテング材
６    縦のセグメント
７    横のセグメント
８    ７セグメントの数字
９    粘着材
１０  緯度を表す文字
１１  経度を表す文字
１２  度を表す記号
１３  分を表す記号
１４  秒を表す記号
１５  接着剤層
１６  硬化防止膜
Ｂ  経度表示面
ａ  度表示部
ｂ  分表示部
ｃ  秒表示部
Ａ  緯度表示面
ｄ  度表示部
ｅ  分表示部
ｆ  秒表示部
【図１】
2009251206.tif 000003
【図２】
2009251206.tif 000004
【図３】
2009251206.tif 000005
【図４】
2009251206.tif 000006
【図５】
2009251206.tif 000007
【図６】
2009251206.tif 000008